(57)【要約】【課題】ノンスリップ面の間隙が拡張されることがない安全性の高いオーバーフローの溝蓋構造体を提供すること。【解決手段】オーバーフローの溝幅方向にさし渡される長さを有し、厚さ方向に貫通する少なくとも２つの貫通孔３を備えた溝蓋基板部材１と、溝蓋基板部材を板厚方向に配設する際、溝蓋基板部材間に一定の間隔を形成するための間隔形成手段４と、溝蓋基板部材の貫通孔に挿通して、溝蓋基板部材を板厚方向に間隔形成手段を介して並列状態に連結保持するための可撓性材料でなる連結手段１１との組み合わせでなり、溝蓋基板部材の上縁部に、その長さ方向に所定の間隔をおいて、該溝蓋基板部材の長さ方向に交差する方向にのびる複数条のノンステップ手段７を備えたものからなることを特徴とするオーバーフローの溝蓋構造体。【選択図】図２
2005054409.tif 000002
【特許請求の範囲】
【請求項１】
オーバーフローの溝幅方向にさし渡される長さを有し、厚さ方向に貫通する少なくとも２つの貫通孔を備えた溝蓋基板部材と、前記溝蓋基板部材を板厚方向に配設する際、前記溝蓋基板部材間に一定の間隔を形成するための間隔形成手段と、前記溝蓋基板部材の貫通孔に挿通して、前記溝蓋基板部材を板厚方向に前記間隔形成手段を介して並列状態に連結保持するための可撓性材料でなる連結手段との組み合わせでなり、前記溝蓋基板部材の上縁部に、その長さ方向に所定の間隔をおいて、該溝蓋基板部材の長さ方向に交差する方向にのびる複数条のノンステップ手段を備えたものからなることを特徴とするオーバーフローの溝蓋構造体。
【請求項２】
前記ノンステップ手段が、前記溝蓋基板部材の上縁部に、その長さ方向に所定の間隔をおいて、該溝蓋基板部材の一方の側面側から外方向に向けてのびる複数のノンステップ頂板と、前記溝蓋基板部材の他方の側面側から外方向に向けてのびる複数のノンステップ頂板受とからなることを特徴とする請求項１に記載のオーバーフローの溝蓋構造体。
【請求項３】
前記複数のノンステップ頂板の頂面に、前記溝蓋基板部材の長さ方向に交差する方向にのびる複数条の滑り止め凸条を設けてなることを特徴とする請求項２に記載のオーバーフローの溝蓋構造体。
【請求項４】
前記溝蓋基板部材が、硬質のポリプロピレン材でなることを特徴とする請求項１〜請求項３のいずれかに記載のオーバーフローの溝蓋構造体。
【請求項５】
前記溝蓋基板部材が、セラミックパウダーを含有する硬質のポリプロピレン材でなり、撥水性ならびに抗菌性を有するものからなることを特徴とする請求項１〜請求項４のいずれかに記載のオーバーフローの溝蓋構造体。
【請求項６】
前記溝蓋基板部材が、着色剤を含有する硬質のポリプロピレン材でなり、適宜色の溝蓋基板部材の選択的な組み合わせにより多様な彩色パターンの溝蓋を具現するものからなることを特徴とする請求項１〜請求項５のいずれかに記載のオーバーフローの溝蓋構造体。
【請求項７】
前記連結手段が、エチレンおよびプロピレンのターポリマー（ＥＰＴ）を基材とする弾力のあるエラストマーでなることを特徴とする請求項１〜請求項６のいずれかに記載のオーバーフローの溝蓋構造体。
【発明の詳細な説明】
【技術分野】
【０００１】
この発明は、プールあるいは各種浴場などにおける、オーバーフロー溝に対し、当該溝の上部開口に装着して用いるオーバーフローの溝蓋に係るものであり、特に、自由に巻き取ることができ、ノンスリップ面側に隙間が生じない構成されており、平面視が湾曲線状のオーバーフロー溝に対しても対応可能なオーバーフローの溝蓋構造体に関するものである。
【背景技術】
【０００２】
周知のように、従来のこの種のオーバーフロー溝蓋は、特許文献１に開示されているもののように、例えば、金属製でなるすのこ状の溝蓋ユニットを、オーバーフロー溝の対向側壁３、３の上端部に形成された凹段部３ａ、３ａに連続的に配設設置するかたちのものとして提供されてきている。この従来の金属製でなるすのこ状のオーバーフロー溝は、重量的な問題があること、耐蝕性に問題があること、色彩性に乏しいこと、運搬施工作業が煩雑であること等の欠点および問題点を有している。
【０００３】
一方、特許文献２には、この発明の前身となる技術内容のオーバーフロー溝蓋が開示されている。この特許文献２に記載のオーバーフロー溝蓋は、横断面Ｔ字型でなる溝蓋基板部材１を、互いに並列の状態になるように一定の間隔を保持させておき、可撓性材料でなる連結接続部材８により連結するように構成したものである。この特許文献２に記載のオーバーフロー溝蓋は、横断面Ｔ字型でなる溝蓋基板部材１のＴ字頂面３にすべり止４が形成されているものであり、当該オーバーフロー溝蓋をオーバーフロー溝に設置した場合、オーバーフロー溝の長さ方向に対して直交差するにノンスリップ面がすのこ状に形成されるので、互いに隣接する溝蓋基板部材１、１間に外力が加わると間隙が拡張されてしまい、安全性の面において、大きな問題点を有していた。
【特許文献１】特開２０００−２３７４６７号公報（図２、図５）
【特許文献２】実公昭５７−４６４７８号公報（図１）
【発明の開示】
【発明が解決しようとする課題】
【０００４】
そこで、この発明では、上記する従来技術の問題点を解消すべくなしたものであって、特に重要な要素は、上記特許文献２に記載のオーバーフロー溝蓋に対して、溝蓋基板部材によるノンスリップ面が、オーバーフロー溝の長さ方向に沿って並行する方向に形成されるように構成してあり、それによって、ノンスリップ面の間隙が拡張されることがなく、安全性の面において極めて有効に作用するオーバーフローの溝蓋構造体を提供するものである。
【課題を解決するための手段】
【０００５】
この発明は、上記する目的を達成するにあたって、具体的には、請求項１に記載の発明は、オーバーフローの溝幅方向にさし渡される長さを有し、厚さ方向に貫通する少なくとも２つの貫通孔を備えた溝蓋基板部材と、前記溝蓋基板部材を板厚方向に配設する際、前記溝蓋基板部材間に一定の間隔を形成するための間隔形成手段と、前記溝蓋基板部材の貫通孔に挿通して、前記溝蓋基板部材を板厚方向に前記間隔形成手段を介して並列状態に連結保持するための可撓性材料でなる連結手段との組み合わせでなり、前記溝蓋基板部材の上縁部に、その長さ方向に所定の間隔をおいて、該溝蓋基板部材の長さ方向に交差する方向にのびる複数条のノンステップ手段を備えたものからなるオーバーフローの溝蓋構造体を構成するものである。
【０００６】
さらに、この発明において請求項２に記載の発明は、請求項１に記載のオーバーフローの溝蓋構造体であって、前記ノンステップ手段が、前記溝蓋基板部材の上縁部に、その長さ方向に所定の間隔をおいて、該溝蓋基板部材の一方の側面側から外方向に向けてのびる複数のノンステップ頂板と、前記溝蓋基板部材の他方の側面側から外方向に向けてのびる複数のノンステップ頂板受とからなることを特徴とするものである。
【０００７】
さらにまた、この発明において請求項３に記載の発明は、請求項２に記載のオーバーフローの溝蓋構造体であって、前記複数のノンステップ頂板の頂面に、前記溝蓋基板部材の長さ方向に交差する方向にのびる複数条の滑り止め凸条を設けてなることを特徴とするものである。
【０００８】
さらにまた、この発明において請求項４に記載の発明は、請求項１〜請求項３の何れかに記載のオーバーフローの溝蓋構造体にあって、前記溝蓋基板部材が、硬質のポリプロピレン材でなることを特徴とするものである。
【０００９】
さらにまた、この発明において請求項５に記載の発明は、請求項１〜請求項４の何れかに記載のオーバーフローの溝蓋構造体にあって、前記溝蓋基板部材が、セラミックパウダーを含有する硬質のポリプロピレン材でなり、撥水性ならびに抗菌性を有するものからなることを特徴とするものである。
【００１０】
さらにまた、この発明において請求項６に記載の発明は、請求項１〜請求項５の何れかに記載のオーバーフローの溝蓋構造体にあって、前記溝蓋基板部材が、着色剤を含有する硬質のポリプロピレン材でなり、適宜色の溝蓋基板部材の選択的な組み合わせにより多様な彩色パターンの溝蓋を具現するものからなることを特徴とするものである。
【００１１】
さらにまた、この発明において請求項７に記載の発明は、請求項１〜請求項６の何れかに記載のオーバーフローの溝蓋構造体にあって、前記連結手段が、エチレンおよびプロピレンのターポリマー（ＥＰＴ）を基材とする弾力のあるエラストマーでなることを特徴とするものでもある。
【発明の効果】
【００１２】
この発明のオーバーフローの溝蓋構造体は、プールサイドあるいは各種浴場等におけるオーバーフロー溝の溝蓋として適用されるものであって、上記特許文献１に記載のような金属製でなるすのこ状の溝蓋に対しては、軽量であり運搬および取り扱いが容易であること、組立て施工が容易かつ簡単であること、耐蝕性にすぐれていること、溝蓋基板部材を連結する連結手段がＥＰＴゴムなどの可撓性材料により構成されており、捲回保管が可能であること、色彩性に富み色選択組み合わせ施工が可能であること、および平面視が湾曲線状のオーバーフロー溝に対しても適用できることなどの利点を有するとともに、上記特許文献２に記載のようなオーバーフローの溝蓋に対しては、溝蓋基板部材によるノンスリップ面が、オーバーフロー溝の長さ方向に沿って並行する方向に形成されるように構成したことにより、ノンスリップ面の間隙が拡張されることがなく、安全性の面において極めて有効に作用するものといえる。
【発明を実施するための最良の形態】
【００１３】
以下、この発明になるオーバーフローの溝蓋構造体について、図面に示す具体的な実施例に基づいて詳細に説明する。図１は、この発明のオーバーフローの溝蓋構造体における溝蓋基板部材の具体的な構成例を示すものであって、図１Ａは、当該溝蓋基板部材の概略的な正面図、図１Ｂは、その概略的な平面図、図１Ｃは、その概略的な背面図、図１Ｄは、その概略的な右側面図、図１Ｅは、図１Ａにおける１Ｅ−１Ｅ線に沿って断面にして矢視方向にみた概略的な１Ｅ−１Ｅ線断面図である。
【００１４】
一方、図２は、図１に示す溝蓋基板部材を連結手段により連結してなるオーバーフローの溝蓋構造体をオーバーフローの溝に設置した状態の一例を示す概略的な斜視図であり、図３は、各溝蓋基板部材の係合関係の詳細を示す概略的な断面図であり、図４は、平面視湾曲線状のオーバーフロー溝に対する適用例について、当該オーバーフローの溝蓋構造体を底面側からみた概略的な底面図である。
【００１５】
まず、この発明において、最も重要な要素は、図１に示すような溝蓋基板部材１の構造にある。この発明において、前記溝蓋基板部材１は、プラスチック成形体によるものであり、例えば、硬質のポリプロピレン材によって一体成形されているものであり、必要に応じて、撥水性ならびに抗菌性を高める目的において、セラミックパウダーを含有する硬質のポリプロピレン材が適用され、さらに、多様な彩色パターンの溝蓋を具現する目的において、適宜色の着色剤を含有する硬質のポリプロピレン材が適用される。
【００１６】
前記溝蓋基板部材１は、基本的には、図１各図に示すように、オーバーフローの溝５１に対し、該オーバーフロー溝５１の対向側壁５２、５２の上端部に形成された凹段部５３、５３の溝幅方向にさし渡される長さ寸法Ｌを有する基部２を有し、該基部２に、板厚方向に貫通する少なくとも２つの貫通孔３、３を備えたものからなっている。図に示す実施例において、前記溝蓋基板部材１は、この溝蓋基板部材１を板厚方向に配設する際、溝蓋基板部材１、１間に一定の間隔を形成するための間隔形成手段４を備えている。
【００１７】
一例になる間隔形成手段４は、前記溝蓋基板部材１に一体的に成形されたものからなっている。すなわち、前記間隔形成手段４は、前記溝蓋基板部材１における基部２の一方の側面２ａ側から外方に向けてのびる一定長さ寸法のボス５によって構成されている。より好ましい例によれば、前記ボス５は、前記基部２に設けてある２つの貫通孔３、３に対して、同心円的に形成したものからなっている。一方、前記基部２の他方の側面２ｂ側には、前記貫通孔３、３の各内側位置に、隣接する溝蓋基板部材１におけるボス５の振れ止めのための突起６、６が設けてある。
【００１８】
一方、前記溝蓋基板部材１における基部２の上縁部２ｃには、その長さ方向に所定の間隔をおいて、該溝蓋基板部材１の長さ方向に交差する方向にのびる複数条のノンステップ手段７が設けてある。図１各図に示す具体的な実施例において、前記ノンステップ手段７は、前記溝蓋基板部材１における基部２の上縁部２ｃに、その長さ方向に所定の間隔をおいて、該溝蓋基板部材１における基部２の一方の側面２ａ側から外方向に向けてのびる複数のノンステップ頂板８と、前記溝蓋基板部材１における基部２の他方の側面２ｂ側から外方向に向けてのびる複数のノンステップ頂板受９とによって構成されている。
【００１９】
前記溝蓋基板部材１における複数のノンステップ頂板８の頂面８ａには、前記溝蓋基板部材１の長さ方向に交差する方向にのびる複数条の滑り止め凸条１０が設けてある。
【００２０】
この溝蓋基板部材１は、図１各図に示すような形状をなすものからなっており、長尺な成形体、すなわち、長尺型材として一体成形でき、この長尺型材を長さ寸法Ｌに切断して多量生産することができる。
【００２１】
一方また、この発明における重要な構成要素である連結手段１１は、前記溝蓋基板部材１における貫通孔３、３に挿通されるものであって、可撓性材料、例えば、合成ゴム、ＥＰＴゴムによって形成される横断面円形の棒状部材１２によって構成されているものである。この連結手段１１は、前記溝蓋基板部材１における貫通孔３、３に挿通して、前記溝蓋基板部材１、１をそれぞれ一定の間隔をもって並列状態に結合支持する。前記連結手段１１の端部は、図３に示すように、例えば、ステンレス製のリング部材１３並びにステンレス製のネジ部材１４によって支持されるようになっている。
【００２２】
さらに、この発明になるオーバーフローの溝蓋構造体は、例えば、平面視において湾曲線状に蛇行する湾曲状のオーバーフロー溝に対して設置する場合には、図４に示すように、 適宜数の追加カラー部材１５を各溝蓋基板部材１、１におけるボス部５、５の位置に介在させて、前記連結手段１１を挿通することによって、任意に湾曲したオーバーフローの溝蓋構造体を組み立てることができる。
【００２３】
この発明になるオーバーフローの溝蓋構造体は、前記各溝蓋基板部材１を前記連結手段１１を用いて、図２に示すように組み立てた際、図３に示すように、前記溝蓋基板部材１におけるボス５の端面５ａが、溝蓋基板部材１における基部２の側面２ｂに当接して各溝蓋基板部材１、１の間隔が設定される。一方、この状態において、ノンスリップ手段７は、図３に示すように、ノンスリップ頂板受９の上面９ａに、隣接する溝蓋基板部材１のノンスリップ頂板８の下面８ｂが接した状態で組み合わされるようになっている。
【図面の簡単な説明】
【００２４】
【図１】図１は、この発明のオーバーフローの溝蓋構造体における溝蓋基板部材の具体的な構成例を示すものであって、図１Ａは、当該溝蓋基板部材の概略的な正面図、図１Ｂは、その概略的な平面図、図１Ｃは、その概略的な背面図、図１Ｄは、その概略的な右側面図、図１Ｅは、図１Ａにおける１Ｅ−１Ｅ線に沿って断面にして矢視方向にみた概略的な１Ｅ−１Ｅ線断面図である。
【図２】図２は、図１に示す溝蓋基板部材を連結手段により連結してなるオーバーフローの溝蓋構造体をオーバーフローの溝に設置した状態の一例を示す概略的な斜視図である。
【図３】図３は、各溝蓋基板部材の係合関係の詳細を示す概略的な断面図である。
【図４】図４は、平面視湾曲線状のオーバーフロー溝に対する適用例について、当該オーバーフローの溝蓋構造体を底面側からみた概略的な底面図である。
【符号の説明】
【００２５】
１  溝蓋基板部材
２  溝蓋基板部材の基部
２ａ  基部の一方の側面
２ｂ  基部の他方の側面
２ｃ  基部の上縁部
３  貫通孔
４  間隔形成手段
５  ボス
６  振れ止めのための突起
７  ノンステップ手段
８  ノンステップ頂板
８ａ  ノンステップ頂板の頂面
９  ノンステップ頂板受
１０  滑り止め凸条
１１  連結手段
１２  横断面円形の棒状部材
１３  ステンレス製のリング部材
１４  ステンレス製のネジ部材
１５  追加カラー部材
５１  オーバーフロー溝
５２  オーバーフロー溝の対向側壁
５３  凹段部
【図１】
2005054409.tif 000003
【図２】
2005054409.tif 000004
【図３】
2005054409.tif 000005
【図４】
2005054409.tif 000006